(57)【要約】【課題】保護フィルム等をワークの先端及び後端からはみ出ることなく綺麗に一致させて貼付できるとともに、ワークの表面に対し、任意の前位置から任意の後ろ位置まで任意の長さにして貼付することもでき、しかも保護フィルム等の引き出し及び貼付を簡素な構成で行うことができるする。【解決手段】巻回されている保護フィルム１等の先端部をエアー吸引ロール３によるエアー吸引作用によりその外周面に吸着させ、該エアー吸引ロールへ向かって搬送されてくるワーク６と同期させながらエアー吸引ロールを回転させることにより、保護フィルム等を引き出しながらその先端がワークの先端に一致するように重ね合わせ、その保護フィルム等をワークに押し付けながらエアー吸引ロールによる吸着が解放された状態でワークを搬送することにより、保護フィルム等をワークの表面に貼付し、保護フィルム等をエアー吸引ロールにてその外周面に再び吸着した状態で保護フィルム等をエアー吸引ロールの外周面上でカッタ１３により切断する。【選択図】  図１
2004182265.tif 000002
【特許請求の範囲】
【請求項１】
保護フィルム等のシート類をワークの表面に貼付するラミネート方法であって、巻回されている保護フィルム等の先端部をエアー吸引ローラによるエアー吸引作用によりその外周面に吸着させ、該エアー吸引ローラへ向かって搬送されてくるワークと同期させながらエアー吸引ロールを回転させることにより、保護フィルム等を引き出しながらその先端がワークの先端に一致するように重ね合わせる重合工程と、その保護フィルム等をワークに押し付けながら前記エアー吸引ロールによる吸着が解放された状態でワークを搬送することにより、保護フィルム等をワークの表面に貼付する貼付工程と、保護フィルム等をエアー吸引ロールにてその外周面に再び吸着した状態で保護フィルム等をエアー吸引ロールの外周面上でカッタにより切断する切断工程とを有することを特徴とする保護フィルム等のラミネート方法。
【請求項２】
重合工程と貼付工程と切断工程を順次繰り返すことを特徴とする請求項１に記載の保護フィルム等のラミネート方法。
【請求項３】
保護フィルム等を押さえロールでエアー吸引ロールに押し付け、該エアー吸引ロールで先端部を吸着してその回転により保護フィルム等を引き出していくことを特徴とする請求項１又は２に記載の保護フィルム等のラミネート方法。
【請求項４】
重合工程では、エアー吸引ロールをワークに押し付け、貼付工程及び切断工程では、エアー吸引ロールをワークから離すことを特徴とする請求項１、２又は３に記載の保護フィルム等のラミネート方法。
【請求項５】
切断工程では、エアー吸引ロールの外周面上におけるカッタによる切断線に対し、エアー吸引ロールの円周方向の両側部分で保護フィルム等をエアー吸引ロールの外周面に吸着させることを特徴とする請求項１、２、３又は４に記載の保護フィルム等のラミネート方法。
【請求項６】
エアー吸引ロールの外周面に形成されている切断案内溝に沿ってカッタを移動させて保護フィルム等を切断することを特徴とする請求項５に記載の保護フィルム等のラミネート方法。
【請求項７】
エアー吸引ロールの内部に第１及び第２の吸引室を区画形成し、重合工程及び貼付工程では、第１の吸引室によるエアー吸引にて保護フィルム等をエアー吸引ロールの外周面に吸着し、切断工程では、第１及び第２の吸引室の両方によるエアー吸引にて保護フィルム等をエアー吸引ロールの外周面に吸着することを特徴とする請求項５又は６に記載の保護フィルム等のラミネート方法。
【請求項８】
搬送されるワークをエアー吸引ロールより下流側と上流側の両方の検知位置でセンサにより検知し、その検知に伴い少なくともエアー吸引ロールの回転動作を制御することを特徴とする請求項１、２、３、４、５、６又は７に記載の保護フィルム等のラミネート方法。
【請求項９】
保護フィルム等のシート類をワークの表面に貼付するラミネート装置であって、ワークを搬入するワーク搬入手段と、巻回されている保護フィルム等をエアー吸引作用により吸着できるとともに、その吸着を解放でき、吸着した状態で回転することにより保護フィルム等を引き出しながら、その先端がワークの先端に一致するように重ね合わせるエアー吸引ロールと、その保護フィルム等をワークに押し付けながらエアー吸引ロールによる吸着が解放された状態でワークを搬出していくことにより、保護フィルム等をワークの表面に貼付するプレスロールと、保護フィルム等がエアー吸引ロールにてその外周面に再び吸着されたとき、保護フィルム等をエアー吸引ロールの外周面上で切断するカッタとを備えてなることを特徴とする保護フィルム等のラミネート装置。
【請求項１０】
巻回状態から引き出されてくる保護フィルム等をエアー吸引ロールに押し付ける押さえロールを備えたことを特徴とする請求項９に記載の保護フィルム等のラミネート装置。
【請求項１１】
エアー吸引ロールをワークに対し押し付ける押し付け位置とワークから離す離隔位置とに切換作動するエアー吸引ロール切換作動機構を備えたことを特徴とする請求項９又は１０に記載の保護フィルム等のラミネート装置。
【請求項１２】
カッタをエアー吸引ロールの外周面に沿ってその軸線方向に走行させるカッタ走行機構を備えたことを特徴とする請求項９、１０又は１１に記載の保護フィルム等のラミネート装置。
【請求項１３】
エアー吸引ロールの外周面に、カッタを案内する切断案内溝を設けたことを特徴とする請求項１２に記載の保護フィルム等のラミネート装置。
【請求項１４】
エアー吸引ロールの内部に、第１及び第２の吸引室を、切断案内溝を基準としてエアー吸引ロールの回転方向の両側に区画形成したことを特徴とする請求項１３に記載の保護フィルム等のラミネート装置。
【請求項１５】
第１の吸引室のエアー吸引は、エアー吸引ロールの一端側の中空軸を通じて行い、第２の吸引室のエアー吸引は、エアー吸引ロールの他端側の中空軸を通じて行うことを特徴とする請求項１４に記載の保護フィルム等のラミネート装置。
【請求項１６】
第１及び第２の吸引室によるエアー吸引とその停止を切り換えるエアー吸引切換機構を備えたことを特徴とする請求項１５に記載の保護フィルム等のラミネート装置。
【請求項１７】
搬送されるワークをエアー吸引ロールより下流側で検知する搬入側センサと、上流側で検知する搬出側センサと、これらセンサからの検知信号により少なくともエアー吸引ロールの回転動作を制御する制御装置を備えたことを特徴とする請求項９〜１６のいずれかに記載の保護フィルム等のラミネート装置。
【発明の詳細な説明】
【０００１】
【発明の属する技術分野】
本発明は、木材やスレートや樹脂やアルミニウム等による板状建材などに、保護フィルム（プラスチックやその他の材質）、紙、不織布、布、金属箔等の幅広いシート類を貼付する保護フィルム等のラミネート方法及び装置に関する。
【０００２】
【従来の技術】
特許文献１（特開２００１−３０１７２７号公報）には、繰り出されてくる保護フィルムを貼付ロールによりワークの表面に貼り付け、ワークが貼付ロールを通過した直後に、貼付ロールより上流側のワーク搬送経路上で保護フィルムをカッタで切断するフィルム貼付装置が開示されている。
【０００３】
【特許文献１】
特開２００１−３０１７２７号公報（第１欄、図１）
【０００４】
【発明が解決しようとする課題】
しかし、これによると、保護フィルムの切断を、ワークが貼付ロールを通過した直後で、しかも貼付ロールより上流側のワーク搬送経路上で行うので、保護フィルムがワークの長さに対して余分に引き出された状態での切断となり、保護フィルムの一部がワークの後端よりはみ出る余長部分ができてしまうとともに、各ワークへの保護フィルムの貼付開始時にも、保護フィルムを余分に引き出しておかなければならないとか、巻回されている保護フィルムの引き出しを、貼付ロール以外の他の手段を用いて行わなければならない等の問題がある。
【０００５】
本発明の目的は、このような問題を解消し、保護フィルム等をワークの先端及び後端からはみ出ることなく綺麗に一致させて貼付できるとともに、ワークの表面に対し、任意の前位置から任意の後ろ位置まで任意の長さにして貼付することもでき、しかも保護フィルム等の引き出し及び貼付を簡素な構成で行うことができる保護フィルム等のラミネート方法及び装置を提供することにある。
【０００６】
【課題を解決するための手段】
本発明のラミネート方法は、巻回されている保護フィルム等の先端部をエアー吸引ロールによるエアー吸引作用によりその外周面に吸着させ、該エアー吸引ロールへ向かって搬送されてくるワークと同期させながらエアー吸引ロールを回転させることにより、保護フィルム等を引き出しながらその先端がワークの先端に一致するように重ね合わせる重合工程と、その保護フィルム等をワークに押し付けながらエアー吸引ロールによる吸着が解放された状態でワークを搬送することにより、保護フィルム等をワークの表面に貼付する貼付工程と、保護フィルム等をエアー吸引ロールにてその外周面に再び吸着した状態で保護フィルム等をエアー吸引ロールの外周面上でカッタにより切断する切断工程とを有する。
【０００７】
重合工程と貼付工程と切断工程を順次繰り返すことにより、ワークを次々に搬送しながら保護フィルム等を連続的に貼付できる。
【０００８】
保護フィルム等を押さえロールでエアー吸引ロールに押し付け、該エアー吸引ロールで先端部を吸着してその回転により保護フィルム等を引き出していけば、その引き出しを確実に行える。
【０００９】
重合工程では、エアー吸引ロールをワークに押し付け、貼付工程及び切断工程では、エアー吸引ロールをワークから離すことにより、ワークへの保護フィルム等の貼付を的確に行える。
【００１０】
切断工程では、エアー吸引ロールの外周面上におけるカッタによる切断線に対し、エアー吸引ロールの円周方向の両側部分で保護フィルム等をエアー吸引ロールの外周面に吸着させることにより、更に、エアー吸引ロールの外周面に形成されている切断案内溝に沿ってカッタを移動させることにより、保護フィルム等の切断を的確かつ綺麗に行える。
【００１１】
エアー吸引ロールの内部に第１及び第２の吸引室を区画形成し、重合工程及び貼付工程では、第１の吸引室によるエアー吸引にて保護フィルム等をエアー吸引ロールの外周面に吸着し、切断工程では、第１及び第２の吸引室の両方によるエアー吸引にて保護フィルム等をエアー吸引ロールの外周面に吸着すると、各工程の動作及び切換を効率よく行える。
【００１２】
搬送されるワークをエアー吸引ロールより下流側と上流側の両方の検知位置でセンサにより検知し、その検知に伴い少なくともエアー吸引ロールの回転動作を制御する。
【００１３】
本発明のラミネート装置は、ワークを搬入するワーク搬入手段と、巻回されている保護フィルム等をエアー吸引作用により吸着できるとともに、その吸着を解放でき、吸着した状態で回転することにより保護フィルム等を引き出しながら、その先端がワークの先端に一致するように重ね合わせるエアー吸引ロールと、その重ねられた保護フィルム等をワークに押し付けながらエアー吸引ロールによる吸着が解放された状態でワークを搬出していくことにより、保護フィルム等をワークの表面に貼付するプレスロールと、保護フィルム等がエアー吸引ロールにてその外周面に再び吸着されたとき、保護フィルム等をエアー吸引ロールの外周面上で切断するカッタとを備えてなることを特徴とする。
【００１４】
更に、次のような手段を付加するとよい。
巻回状態から引き出されてくる保護フィルム等をエアー吸引ロールに押し付ける押さえロールを備える。
【００１５】
エアー吸引ロールをワークに対し押し付ける押し付け位置とワークから離す離隔位置とに切換作動するエアー吸引ロール切換作動機構を備える。
【００１６】
カッタをエアー吸引ロールの外周面に沿ってその軸線方向に走行させるカッタ走行機構を備える。
エアー吸引ロールの外周面に、カッタを案内する切断案内溝を設ける。
【００１７】
エアー吸引ロールの内部に、第１及び第２の吸引室を、切断案内溝を基準としてエアー吸引ロールの回転方向の両側に区画形成する。
【００１８】
第１の吸引室のエアー吸引は、エアー吸引ロールの一端側の中空軸を通じて行い、第２の吸引室のエアー吸引は、エアー吸引ロールの他端側の中空軸を通じて行う。
【００１９】
第１及び第２の吸引室によるエアー吸引とその停止を切り換えるエアー吸引切換機構を備える。
【００２０】
搬送されるワークをエアー吸引ロールより下流側で検知する搬入側センサと、上流側で検知する搬出側センサと、これらセンサからの検知信号により少なくともエアー吸引ロールの回転動作を制御する制御装置を備える。
【００２１】
【発明の実施の形態】
次に、本発明の実施の形態を図面に基づいて詳細に説明する。
【００２２】
先ず、本発明の方法の一連の動作から説明すると、図１は待機状態を示し、巻きフィルム１ａから引き出された保護フィルム１は、エキスパンダロール２にて幅員方向へ拡げられてエアー吸引ロール３へ至り、このエアー吸引ロール３にて先端部を吸着されているとともに、更に押さえロール４で上側からエアー吸引ロール３に押し付けられている。
【００２３】
エアー吸引ロール３の内部には、後ほど詳述するように、それぞれその４分の１の領域（角度にして９０度）に相当する第１の吸引室３Ａと第２の吸引室３Ｂとが、円周方向に隣接して区画形成され、これらは別々にエアー吸引及びその停止を切り換えることができるようになっている。
【００２４】
また、エアー吸引ロール３の外周面には、その軸線と平行に切断案内溝５が設けられ、第１の吸引室３Ａと第２の吸引室３Ｂは、この切断案内溝５を境界として上記のように区画されている。
【００２５】
図１の待機状態では、ハッチングで示すように第１の吸引室６Ａだけがエアー吸引され、そのエアー吸引作用により保護フィルム１の先端部がエアー吸引ロール３の外周面に吸着され、すなわちエアー吸引ロール３の外周面の４分の１の表面積相当分だけ吸着され、保護フィルム１の先端は切断案内溝５に一致している。この状態から、板状のワーク６は、前段の図示しない清掃装置で表面を清掃されながら矢印で示すように真っ直ぐ搬入されてくる。
【００２６】
搬入されてきたワーク６は、隣接して配置されている前後二対のピンチロール、つまり第１対目のピンチロール７、次いで第２対目のピンチロール８に挟まれ、これらによりエアー吸引ロール３へと搬送されるが、その際に、図２に示すように、これら二対のピンチロール７・８の中間位置で搬入側センサ９によりワーク６の先端が検知される（ワーク先端検知状態）。搬入側センサ９は、光ファイバを接続した投光部９ａと受光部９ｂとを上下に対向させたものである。図１に示すように、投光部９ａからエアー吸引ロール３の回転中心までの距離Ｌ１と、エアー吸引ロール３の外周面の４分の１の円周長さＬ２とは等しくなっている（Ｌ１＝Ｌ２）。
【００２７】
ワーク６の先端が搬入側センサ９により検知されると、図３に示すように、エアー吸引ロール３は４分の１の円周長さＬ２だけ回転されるため、第１の吸引室６Ａのエアー吸引作用にてエアー吸引ロール３に吸着されている保護フィルム１は、所要の張力をもってそのまま引き出され、保護フィルム１の先端が、ピンチロール７・８にてエアー吸引ロール３の真下まで搬送されてきたワーク６の先端と一致する。同時にワーク６は、エアー吸引ロール３とその真下に配置されているワーク支えロール１０とで保護フィルム１と共に挟まれ、保護フィルム１の接着面がワーク６の表面に重合していく貼付開始状態となる。
【００２８】
ワーク支えロール１０は定位置のままであるが、図４に示すように、押さえロール４がエアー吸引ロール３から離れるように上昇されるとともに、エアー吸引ロール３が、ワーク６から少しだけ離れるところまで上昇され、しかも第１の吸引室６Ａによるエアー吸引を停止した状態で回転される。これと同期してワーク６は、ピンチロール７・８にて前進されるため、保護フィルム１は、ワーク６の前進とエアー吸引を停止したエアー吸引ロール３の回転とにより、引き出されながらワーク６の表面に貼付されていく。
【００２９】
このようにしてワーク６が更に前進すると、図５に示すように、保護フィルム１とワーク６とは、上下に対向配置したプレスロール１１と排出ロール１２とにより挟圧されながら搬送され、更に図６に示すように引き続き搬送されることにより、保護フィルム１は、ワーク６の搬送により引き出されながらその表面に密着して貼付される。
【００３０】
図７に示すように、ワーク６の後端が搬入側センサ９により検知されると、エアー吸引ロール３の回転が一時停止するとともに、ワーク６の搬送も一時停止し、エアー吸引ロール３において、その第１の吸引室３Ａと第２の吸引室３Ｂの両方がエアー吸引状態となる。これにより、保護フィルム１は、エアー吸引ロール３の外周面上において、その切断案内溝５より上下両側の部分で吸着される。このとき、切断案内溝５はカッタ１３による切断線（走行線）と一致し、また、押さえロール４が下降して、保護フィルム１をエアー吸引ロール３に再び押し付ける。
【００３１】
カッタ１３は、図７の状態で切断案内溝５に尖端を食い込ませながらこれに沿ってカッタ走行機構（後述する）により一直線に走行されるため、保護フィルム１は、切断案内溝５で上下に分かれるように切断される。このとき、保護フィルム１は、上記のように第１の吸引室３Ａと第２の吸引室３Ｂの両方のエアー吸引により、切断案内溝５より上下両側の部分で吸着されているため、カッタ１３による切断は綺麗に行われる。
【００３２】
保護フィルム１が切断されると、図８に示すように、エアー吸引ロール３は、回転停止したままその第２の吸引室３Ｂによるエアー吸引を停止されるのに対し、ワーク６は、プレスロール１１と搬出ロール１２とで挟圧されたまま搬送されるため、保護フィルム１は、その切断端である後端がワーク６の後端と一致して、前後端ともにワーク６の表面の前後端に綺麗に揃うようにその表面に貼付される。
【００３３】
このようにして保護フィルム１を貼付されたワーク６が更に搬送され、その後端が、図９に示すように、投光部１４ａと受光部１４ｂとによる搬出側センサ１４にて検知されると、エアー吸引ロール３が下降して図１の状態に復帰し、次に搬入されてくるワーク６のための待機状態となる。
【００３４】
以上のようなワンサイクルの工程を繰り返すことにより、保護フィルム１は、各ワーク６の搬入に同期してエアー吸引ロール３により引き出され、各ワーク６の長さと同じ長さに切断してその表面に貼付される。
【００３５】
次に、本発明の装置の具体例について説明する。
図１０及び図１１において、巻きフィルム１ａは、リール保持ユニット１５に着脱自在に装填される。リール保持ユニット１５は、フレーム１６上に位置調整可能に装着されている。巻きフィルム１ａから引き出される保護フィルム１は、スリッタユニット１７により所要の幅員に切断できるようになっている。
【００３６】
引き出された保護フィルム１は、エキスパンダロール２を経由して上下一対の押さえロール４ａ・４ｂの間を通り、これら押さえロール４ａ・４ｂに挟まれた状態で引き出されながらエアー吸引ロール３の外周面に押し付けられる。これら押さえロール４ａ・４ｂは、図１〜９に示した押さえロール４と同様の役目をしており、エアーシリンダ１８により上下に切換移動できるようにフレーム１６に装着されている。
【００３７】
エアー吸引ロール３は、サーボモータ１９により回転されるとともに、両端の軸受け部に配置した、エアー吸引ロール切換作動機構であるエアーシリンダにより上下に切換移動できるようにフレーム１６に装着され、その最下降時には、保護フィルム１をワーク６の表面に押し付ける。
【００３８】
フレーム１６には、搬入側の二対のピンチロール７・８、エアー吸引ロール３の真下に位置するワーク支えロール１０、搬出側のプレスロール１１及び搬出ロール１２も装着されている。各対のピンチロール７・８は、下側が駆動ロール、上側が従動ロールとなっているとともに、ワーク６の厚さに応じて上下のロール間の間隔を調整できるように、上側の従動ロールの高さを微調整できるようになっている。ワーク支えロール１０及び搬出ロール１２は、それぞれモータ２０ａ・２０ｂにより駆動される。プレスロール１１も、エアーシリンダにより上下に切換移動できるようになっている。
【００３９】
保護フィルム１を切断するカッタ１３は、小型のカッタモータ２１の回転軸に取り付けられている。このカッタモータ２１は、図１２に示すように、フレーム１６に装着されたカッタ走行機構であるロッドレス型シリンダ２２により、レールに沿って水平に往復移動されるようになっているため、カッタ１３は、回転しながらエアー吸引ロール３の切断案内溝５に沿って一直線に走行される。図１２では、シリンダ２２に対するカッタモータ２１の装着を上下の配置関係としたが、図１３に示すように前後の配置関係にしてもよい。
【００４０】
次に、エアー吸引ロール３について説明する。エアー吸引ロール３は、図１４及び図１５に概要を示すように中空円筒形で、その両端に中空軸２３Ａ・２３Ｂを突設し、一方の中空軸２３Ａは、エアー吸引ロール３内に区画形成された第１の吸引室３Ａに連通し、他方の中空軸２３Ｂは第２の吸引室３Ｂに連通しており、第１の吸引室３Ａは、一方の中空軸２３Ａの先端開口が吸気口、第２の吸引室３Ｂは、他方の中空軸２３Ｂの先端開口が吸気口となる。
【００４１】
そして、図１６に示すように、両方の中空軸２３Ａ・２３Ｂは、ベアリングカバー２４で覆われたベアリング２５によりそれぞれフレーム１６に軸受けされているとともに、それぞれの吸気口には、ロータリジョイント２６にてエアーホース２７が接続され、第１の吸引室３Ａと第２の吸引室３Ｂとのエアー吸引及びその停止が、切換バルブ等を用いたエアー吸引切換機構により切り換えられるようになっている。また、一方の中空軸２３Ａには駆動用スプロケットホイール２８が取り付けられており、モータからの回転を伝達される。
【００４２】
次に、エアー吸引ロール３の具体的な構造について説明する。図１７に示すように、エアー吸引ロール３は、多数の吸気孔を設けた又は多孔質とした外筒２９と、軸線方向に二分割された２本の内筒（パイプ）３０Ａ・３０Ｂとにより二重円筒構造になっている。これら外筒２９と内筒３０Ａ・３０Ｂとの間の内部空間３１の両端は、フランジ付き外板３２にて閉じられている。また、外筒２９と内筒３０Ａ・３０Ｂとの間には、多数のフランジ付き中板３３が軸線方向に間隔をおいて配設されている。そして、内部空間３１は、円周方向には、外板３２と中板３３との間に設置した仕切板３４、及び隣接する中板３３間にそれぞれ設置した仕切板３５により、上記のような第１及び第２の吸引室３Ａ・３Ｂに区画されている。
【００４３】
フランジ付き中板３３は、図１８及び図１９に示すように、内筒３０Ａ・３０Ｂを貫通させる円形孔３６の回りに、２個の第１の連通孔３７Ａと同じく２個の第２の連通孔３７Ｂを形成した円形板３８と、２個の第１の吸気孔３９Ａと同じく２個の第２の吸気孔３９Ｂを形成したフランジ板４０とからなる。円形板３８の第１の連通孔３７Ａと第２の連通孔３７Ｂとは、外筒２９と内筒３０Ａ・３０Ｂとの間の内部空間３１において、仕切板３４・３５により仕切られることにより、第１の連通孔３７Ａは、フランジ付き中板３３間で第１の吸引室３Ａのための連通を行い、第２の連通孔３７Ｂは、フランジ付き中板３３間で第２の吸引室３Ｂのための連通を行う。また、フランジ板４０の第１の吸気孔３９Ａと第２の吸気孔３９Ｂとは、フランジ板４０の外周面に設けた仕切リブ４１にて仕切られ、第１の吸気孔３９Ａは、外筒２９を通じて第１の吸引室３Ａのための外気の吸気を行い、第２の吸気孔３９Ｂは、外筒２９を通じて第２の吸引室３Ｂのための外気の吸気を行う。
【００４４】
図１７において、内筒３０Ａ・３０Ｂのそれぞれの内端はカバー４２にて閉じられ、また外端には、両側の中間軸２３Ａ・２３ｂがそれぞれ突出して固定されている。各中間軸２３Ａ・２３ｂには、図１６に示したロータリジョイント２６を取り付けるための取付金具４３が設けられている。一方の内筒３０Ａの内端近くには、第１の吸引室３Ａ内のエアー吸引を行うためのエアー吸引孔４４Ａ、他方の内筒３０Ｂの内端近くには、第２の吸引室３Ｂ内のエアー吸引を行うためのエアー吸引孔４４Ｂが設けられ、第１の吸引室３Ａは、駆動側となる一方の中間軸２３Ａを通じてエアー吸引されるのに対し、第２の吸引室３Ｂは、従動側となる他方の中間軸２３Ｂを通じてエアー吸引される。
【００４５】
更に、図１０及び図１１には図示していないが、図１〜図９では示した搬入側センサ９と搬出側センサ１４とが、フレーム１６の内側の所要箇所に配置されており、上述したモータやシリンダ等の駆動源は、これらセンサ９・１４からの検知信号により制御装置にて電気的に制御されるようになっている。
【００４６】
なお、上記の実施例では、ワーク６の前端と後端とに揃えて保護フィルム１を切断したが、保護フィルム１の引き出し量及びワーク６の進行量を検知し、サーボモータでデジタル制御するので、ワーク６の表面に対し、任意の前位置から任意の後ろ位置まで任意の長さにして貼付することもでき、場合によっては、ワーク６の半分の長さにしたり、ワーク６の前端及び後端から所望長さだけはみ出るようにして切断することも可能である。
【００４７】
また、本発明は、保護フィルムに限らず、紙、不織布、布、金属箔等の幅広いシート類を貼付する場合に広範囲に適用できるものである。
【００４８】
【発明の効果】
以上説明したように本発明によれば、巻回されている保護フィルム等の先端部をエアー吸引ロールによるエアー吸引作用によりその外周面に吸着させ、該エアー吸引ロールへ向かって搬送されてくるワークと同期させながらエアー吸引ロールを回転させることにより、保護フィルム等を引き出しながらその先端がワークの先端に一致するように重ね合わせ、その保護フィルム等をワークに押し付けながらエアー吸引ロールによる吸着が解放された状態でワークを搬送することにより、保護フィルム等をワークの表面に貼付し、保護フィルム等をエアー吸引ロールにてその外周面に再び吸着した状態で保護フィルム等をエアー吸引ロールの外周面上でカッタにより切断するので、保護フィルム等をワークの先端及び後端からはみ出ることなく綺麗に一致させて貼付できるとともに、ワークの表面に対し、任意の前位置から任意の後ろ位置まで任意の長さにして貼付することもでき、、しかも保護フィルム等の引き出し及び貼付を簡素な構成で行うことができる。
【図面の簡単な説明】
【図１】本発明の方法の手順を示す図で、待機状態を示す。
【図２】同じくワーク先端検知時の状態を示す。
【図３】同じく保護フィルムの貼付開始時の状態を示す。
【図４】同じく貼付の第一段階を示す。
【図５】同じく貼付の第二段階を示す。
【図６】同じく貼付の第三段階を示す。
【図７】同じく保護フィルムの切断時の状態を示す。
【図８】同じく切断終了時の状態を示す。
【図９】同じく次のワークへの待機状態を示す。
【図１０】本発明の装置の具体例を示す側面図である。
【図１１】その正面図である。
【図１２】カッタとその走行機構の関係を示し、（Ａ）は正面図、（Ｂ）は側面図である。
【図１３】その他の例を示し、（Ａ）は正面図、（Ｂ）は側面図である。
【図１４】エアー吸引ロールのみの正面図である。
【図１５】端面図で、（Ａ）は一端、（Ｂ）は他端である。
【図１６】エアー吸引ロールとその両端部の構成を示す正面図である。
【図１７】エアー吸引ロールのみの断面図である。
【図１８】エアー吸引ロール内に設置されたフランジ付き中板を示す側面図である。
【図１９】その外周面図である。
【符号の説明】
１  保護フィルム
１ａ  巻きフィルム
２  エキスパンダロール
３  エアー吸引ロール
３Ａ  第１の吸引室
３Ｂ  第２の吸引室
４・４ａ・４ｂ  押さえロール
５  切断案内溝
６  ワーク
７・８  ピンチロール
９  搬入側センサ
９ａ  投光部
９ｂ  受光部
１０  ワーク支えロール
１１  プレスロール
１２  排出ロール
１３  カッタ
１４  搬出側センサ
１４ａ  投光部
１４ｂ  受光部
１５  リール保持ユニット
１６  フレーム
１７  スリッタユニット
１８  エアーシリンダ
１９  サーボモータ
２０ａ・２０ｂ  モータ
２１  カッタモータ
２２  ロッドレス型シリンダ
２３Ａ・２３Ｂ  中空軸
２４  ベアリングカバー
２５  ベアリング
２６  ロータリジョイント
２７  エアーホース
２８  スプロケットホイール
２９  外筒
３０Ａ・３０Ｂ  内筒
３１  内部空間
３２  フランジ付き外板
３３  フランジ付き中板
３４・３５  仕切板
３６  円形孔
３７Ａ・３７Ｂ  連通孔
３８  円形板
３９Ａ・３９Ｂ  吸気孔
４０  フランジ板
４１  仕切リブ
４２  カバー
４３  取付金具
４４Ａ・４４Ｂ  エアー吸引孔
【図１】
2004182265.tif 000003
【図２】
2004182265.tif 000004
【図３】
2004182265.tif 000005
【図４】
2004182265.tif 000006
【図５】
2004182265.tif 000007
【図６】
2004182265.tif 000008
【図７】
2004182265.tif 000009
【図８】
2004182265.tif 000010
【図９】
2004182265.tif 000011
【図１０】
2004182265.tif 000012
【図１１】
2004182265.tif 000013
【図１２】
2004182265.tif 000014
【図１３】
2004182265.tif 000015
【図１４】
2004182265.tif 000016
【図１５】
2004182265.tif 000017
【図１６】
2004182265.tif 000018
【図１７】
2004182265.tif 000019
【図１８】
2004182265.tif 000020
【図１９】
2004182265.tif 000021